(57)【要約】【課題】低温時においてもケーシング内に糠が付着することを防止でき、運転に支障を来すことがない糠用送風機を提供する。【解決手段】ケーシング３内に羽根車２が回転自在に取り付けられた糠用送風機１０において、ケーシング３の筒状部３ａに面状ヒータ２１を設けた。面状ヒータ２１によってケーシング３が加熱されることにより、精米処理時に暖められた糠がケーシング３内で冷却されて付着することを防止できる。【選択図】　図５
2004141760.tif 000002
【特許請求の範囲】
【請求項１】
ケーシング内に羽根車が回転自在に取り付けられ、精米機に接続されて精米機で発生する糠を排出する糠用送風機において、前記ケーシングを加熱する加熱手段を設けたことを特徴とする糠用送風機。
【請求項２】
前記加熱手段が面状ヒータであることを特徴とする請求項１記載の糠用送風機。
【請求項３】
前記加熱手段によるケーシングの加熱温度が３０℃〜５０℃であることを特徴とする請求項１又は請求項２記載の糠用送風機。
【発明の詳細な説明】
【０００１】
【発明の属する技術分野】
本発明は、精米機で発生する糠を排出するための糠用送風機に関するものである。
【０００２】
【従来の技術】
従来、精米機には、精米の際に内部で発生する糠を排出するために、糠用送風機が接続されている（例えば、特許文献１）。この種の従来の糠用送風機は、例えば図１０に示すように、モータ１により回転される羽根車２がケーシング３内に回転自在に取り付けられており、ケーシング３には吸入口管部４が設けられ、この吸入口管部４は蛇腹式ホースなどの吸入ダクト５を介して精米機に接続されている。そして、精米機で発生した糠は、空気とともに吸入ダクト５を介して吸入口管部４からケーシング３内に吸入され、糠を含んだ空気はケーシング３の上面に設けられた排出口部６から図外の糠回収容器側へ排出されるようになっている。
【０００３】
【特許文献１】
特開２０００−２７９８３０号公報
【０００４】
【発明が解決しようとする課題】
しかしながら、従来の糠用送風機では、低温時において、精米処理時に暖められた糠が、低温の糠用送風機内を通過する際に冷却され、糠に含まれている水分又は油分がケーシング３内に付着し、その結果、糠がケーシング３内に付着し易くなり、さらにケーシング３内に付着した糠に含まれている水分又は油分が発散して硬化し、これが度重なると硬化した糠の層Ｎに成長し、この硬化した糠の層Ｎにより羽根車２が擦られて回転が困難になり、糠用送風機の運転に支障を来すことがあった。
【０００５】
そこで、本発明は、前記課題を解決するものであって、低温時においてもケーシング内に糠が付着することを防止でき、運転に支障を来すことがない糠用送風機を提供することを目的とするものである。
【０００６】
【課題を解決するための手段】
前記課題を解決するために請求項１に記載の発明は、ケーシング内に羽根車が回転自在に取り付けられ、精米機に接続されて精米機で発生する糠を排出する糠用送風機において、前記ケーシングを加熱する加熱手段を設けたことを特徴とするものである。
【０００７】
前記構成によれば、加熱手段によってケーシングが加熱されることにより、精米処理時に暖められた糠がケーシング内で冷却され難くなり、糠に含まれている水分又は油分がケーシング内で発散して付着することが防止される。そのため、低温時においても、糠がケーシング内に付着することを防止でき、さらには糠がケーシング内で硬化することを防止でき、ひいては糠用送風機を支障なく運転することができる。
【０００８】
また、請求項２に記載の発明は、前記構成において、前記加熱手段が面状ヒータであることを特徴とするものである。
前記構成によれば、ケーシングへの加熱手段の着脱を簡単に行うことができる。
【０００９】
また、請求項３に記載の発明は、前記構成において、前記加熱手段によるケーシングの加熱温度が３０℃〜５０℃であることを特徴とするものである。
前記構成によれば、加熱温度が適当であって、より効果的に糠のケーシングへの付着、糠の硬化を防止することができ、電気などの熱源に要する費用を安価に抑えることが可能である。
【００１０】
前記加熱温度が３０℃未満では、糠の付着、硬化を十分に防止することができないことがあり、一方、５０℃を超えると、電気代などが嵩むわりには糠の付着、硬化防止の程度はそれほど向上しない。
【００１１】
【発明の実施の形態】
以下、本発明の実施の形態における糠用送風機を図面に基づき説明する。
この糠用送風機１０は、図１〜図４に示すように、精米機７における糠を発生する箇所である精米部８に接続されており、精米部８では、玄米同士を擦り合わせたり、玄米を金網や回転突条で研削したりして精米処理を行っている。
【００１２】
この糠用送風機１０は、図５に示すように、羽根車２と、この羽根車２を回転させるモータ１と、羽根車２を収納するケーシング３とを有する。このケーシング３は、羽根車２の外周面側を覆う筒状部３ａと、筒状部３ａの一方の側にこれと一体的に形成された側板部３ｂと、開閉蓋部３ｃとから形成されている。筒状部３ａ内には羽根車２が配置され、筒状部３ａの一方の側にはノブボルト１４により開閉蓋部３ｃが取り付けられ、また、開閉蓋部３ｃ側にはモータ１及び羽根車２が取り付けられている。さらに、側板部３ｂ側に形成された吸入口管部４には、吸入ダクト５が取り付けられている。また、筒状部３ａの上面に設けられた排出口部１５には、クランプ１６により排出ダクト１７が取り付けられている。そして、糠用送風機１０は、ブラケット１８を介してスタンド１９に取り付けられている。なお、２０はパッキンである。
【００１３】
そして、前記ケーシング３の筒状部３ａの外周面にはその全面にわたって面状ヒータ２１が取り付けられている。この面状ヒータ２１は、図示されていない電源装置及び制御部に接続されて、所定温度例えば３０℃〜５０℃の温度になるように制御されており、この面状ヒータ２１によりケーシング３が加熱されるようになっている。この加熱温度は、精米機７中の米の温度よりも１０℃高い温度が適しており、好ましくは１０〜１５℃高い温度である。
【００１４】
また、前記吸入ダクト５は、図６〜図８に示すように、半円弧状に形成した２枚の鉄板３０、３１よりなる円筒体３２、いわゆる２つ割の円筒体３２から形成されている。つまり、２枚の鉄板３０、３１の一端側を外側に折り曲げて折り曲げ部同士を突き合わせるとともに、他端側を突き合わせることにより円筒体３２に形成されており、２枚の鉄板３０、３１の他端側が円筒体３２の長さ方向の２箇所に設けられた平型蝶番３３により鉄板３０と鉄板３１とが互いに回動自在に連結され、２枚の鉄板３０、３１の一端側がスプリングパンチ錠３４により開閉するように構成されている。
【００１５】
前記スプリングパンチ錠３４は、図６、図７に示すように、台座３５の一端側にピン３６を介して回動自在に取り付けられたレバー３７と、このレバー３７に取り付けられたばね材からなるアーム３８とからなるスプリングパンチ錠本体３９と、前記アーム３８を係止する鉤状片４０とから構成され、円筒体３２を構成する２枚の鉄板３０、３１の一端側において、スプリングパンチ錠本体３９が鉄板３１側に固定され、鉤状片４０が鉄板３０側に固定されている。
【００１６】
また、前記平型蝶番３３は、図８、図９に示すように、２枚の平板４１、４２から構成され、一方の平板４１は、長さ方向両側が切り落とされるとともに、長さ方向中央部が所定方向に巻かれて円弧状部４１ａに形成され、他方の平板４２は、前記平板４１とは逆に、長さ方向中央部が切り落とされるとともに、長さ方向両側が前記円弧状部４１ａとは反対方向に巻かれた円弧状部４２ａに形成されており、円弧状部４１ａと円弧状部４２ａに連結ピン４３を通すことにより、２枚の平板４１と４２とが回動自在に連結されている。そして、この平型蝶番３３は、円筒体３２を構成する２枚の鉄板３０、３１の他端側において、鉄板３０、３１にそれぞれ固定されている。
【００１７】
そして、吸入ダクト５は、図５に示すように、その一端側が糠用送風機１０の吸入口管部４にゴムやスポンジなどからなるリング状の緩衝部材４５を介して取り付けられ、他端側が同様の緩衝部材４５を介して精米部８の排出口管部９に取り付けられており、それによって糠用送風機１０と精米機７とが接続されている。
【００１８】
前記構成において、精米機７のホッパ１１（図２参照）に投入された玄米は精米部８にて精米されて、白米として排出され、精米部８の下方に設けた白米収納ホッパ（図示せず）に回収される。一方、精米部８で発生した糠は、空気とともに吸入ダクト５を介して糠用送風機１０のケーシング３内に吸入され、ケーシング３内を通過して排出口部１５から糠用送風機１０の外部に排出される。
【００１９】
前記構成によれば、ケーシング３の筒状部３ａの外周面全面にわたって面状ヒータ２１を取り付けたので、面状ヒータ２１によってケーシング３の筒状部３ａの外周面全面が均一に加熱される。したがって、精米処理により暖められた糠がケーシング３を通過する際でも、この糠が冷却されることが防止され、この結果、糠に含まれている水分又は油分が発散し易くなり、低温時においても、糠がケーシング３内に付着し難くなって、糠がケーシング３内で硬化することを防止でき、ひいては、糠用送風機１０を支障なく運転することができる。
【００２０】
また、加熱手段を面状ヒータ２１から形成したので、ケーシング３への着脱を簡単に行うことができる。
さらに、面状ヒータ２１を３０℃以上に加熱するようにしたので、より効果的に糠のケーシング３内への付着、糠の硬化を防止することができ、また、面状ヒータ２１の加熱温度を５０℃以下にしたので、面状ヒータ２１を加熱するための電気代も安価に抑えることが可能である。
【００２１】
また、吸入ダクト５を２枚の鉄板３０、３１からなる筒状体３２から形成し、筒状体３２の一端側をスプリングパンチ錠３４により開閉するようにするとともに、他端側を平型蝶番３３により回動自在に連結したので、吸入ダクト５を蛇腹式ホースから形成した場合に比べると、吸入ダクト５の吸入口管部４への着脱を簡単に行うことができる。
【００２２】
つまり、吸入ダクト５を蛇腹式ホースから形成した場合には、長期間使用すると、糠に含まれる油分が空気（酸素）と反応することなどにより、付着した糠が硬化して蛇腹式ホースの伸縮性が失われ、蛇腹式ホースを吸入口管部４から外せなくなることがあるが、吸入ダクト５を２枚の鉄板３０、３１からなる筒状体３２から形成したことにより、長期間使用してもそのような不都合が生ずることはない。
【００２３】
さらに、吸入ダクト５を、糠用送風機１０の吸入口管部４と精米機７の排出口管部９とに緩衝部材４５を介して取り付けたので、精米機７の排出口管部９の軸芯に対して吸入口管部４の軸芯に多少のずれがあったとしても、吸入口管部４の軸芯のずれを緩衝部材４５によりカバーすることができる。
【００２４】
前記実施の形態では、ケーシング３の筒状部３ａの外周面全面に面状ヒータ２１を設けたが、筒状部３ａの外周面の一部に設けてもよく、また、面状ヒータ２１を細幅に形成して複数の面状ヒータ２１を間歇的に設けてもよく、さらには側板部３ｂや開閉蓋部３ｃの外面に設けてもよい。
【００２５】
また、加熱手段は、面状ヒータ２１に限ることなく、他の加熱手段でもよい。さらに、吸入ダクト５は、１枚の鉄板３０を１箇所で突き合わせて形成した円筒体３２、いわゆる１つ割の円筒体３２から形成してもよい。
【００２６】
【発明の効果】
以上述べたように本発明によれば、ケーシングを加熱する加熱手段を設けたことにより、低温時においても、糠がケーシング内に付着することを防止することができ、ひいては糠用送風機を支障なく運転することができて信頼性が向上する。
【００２７】
また、加熱手段を面状ヒータとしたことにより、ケーシングへの着脱を簡単に行うことができる。
さらに、前記加熱手段を３０℃〜５０℃に加熱するようにしたことにより、加熱温度が適当であって、より効果的に糠のケーシングへの付着、糠の硬化を防止することができると同時に、電気などの熱源に要する費用を安価に抑えることが可能である。
【図面の簡単な説明】
【図１】本発明の実施の形態における糠用送風機を取り付けた精米機を示す正面図である。
【図２】同精米機の左側側面図である。
【図３】同精米機の右側側面図である。
【図４】同精米機の平面図である。
【図５】本発明の実施の形態における糠用送風機を示す分解斜視図である。
【図６】同糠用送風機の吸入ダクトを示す側面図である。
【図７】同糠用送風機の吸入ダクトを示す平面図である。
【図８】同糠用送風機の吸入ダクトを示す底面図である。
【図９】同吸入ダクトの蝶番を示す斜視図である。
【図１０】従来の糠用送風機を示す断面図である。
【符号の説明】
１　　モータ
２　　羽根車
３　　ケーシング
３ａ　筒状部
３ｂ　側板部
３ｃ　開閉蓋部
４　　吸入口管部
５　　吸入ダクト
６　　排出口部
７　　精米機
８　　精米部
９　　排出口管部
１０　糠用送風機
２１　面状ヒータ
３０、３１　鉄板
３２　円筒体
３３　平型蝶番
３４　スプリングパンチ錠
４５　緩衝部材
【図１】
2004141760.tif 000003
【図２】
2004141760.tif 000004
【図３】
2004141760.tif 000005
【図４】
2004141760.tif 000006
【図５】
2004141760.tif 000007
【図６】
2004141760.tif 000008
【図７】
2004141760.tif 000009
【図８】
2004141760.tif 000010
【図９】
2004141760.tif 000011
【図１０】
2004141760.tif 000012